(57)【特許請求の範囲】
【請求項１】
液透過性の表面シートと、液不透過性の裏面シートと、これらのシートの間に介在する吸液性コアとを具備し、縦方向に前身頃部、後身頃部及びこれら両部間に位置する股下部からなる使い捨て吸収性物品において、
股下部の股間部に形成された穴あき部の縁に対し少なくとも２枚以上の複合シートを取り付けてなる凹陥領域と、
前記凹陥領域の周縁の内側近傍にて前記複合シート間に設けられ該周縁の形状に沿って該凹陥領域を囲周する凹陥領域弾性体とを有することを特徴とする
使い捨ておむつ。
【請求項２】
前記凹陥領域弾性体が左右別個の弾性体から形成してなることを特徴とする請求項１に記載の使い捨ておむつ。
【発明の詳細な説明】
【０００１】
【発明の属する技術分野】
本発明は、使い捨て吸収性物品に関し、特に、別に用意した吸液性パッドを重ね合わせて用いるための使い捨ておむつに関する。
【０００２】
【従来の技術】
従来の使い捨ておむつにおいては、別に用意した吸液性パッドを外装おむつに重ね合わせて使用し、吸液性パッドのみを交換することにより外装おむつ自体は複数回使用可能なタイプのものが知られている。例えば、実開平５−３７２１９号公報に開示されている。このタイプの使い捨ておむつは、排泄液の吸収容量や経済性等の観点から、大人用や寝たきりの高齢者用に適している。上記公報記載の考案では、重ね合わせタイプの使い捨ておむつにおいておむつ全体が嵩張り、吸液性パッドの保持やフィット性が不十分であるなどの欠点を解決するべく、股下部の足繰り部と股間部の吸液性コアを取り除いた構成(それぞれ凹欠部と凹陥領域)を提示している。すなわち、弾性体の伸縮性を妨げる剛性のある吸液性コアを取り除くことにより弾性体の収縮力を確保すると共に、吸液性パッドと重なる部分の吸液性コアを取り除くあるいは薄くすることにより嵩張りをなくし吸液性パッドを保持し易くしようとするものである。
【０００３】
【発明が解決しようとする課題】
しかしながら、上記従来例の使い捨ておむつにおいては、股間部の凹陥領域の長手方向両側縁に吸液性コアを内包したスリーブからなるフラップを接合しているため、内包した吸液性コアの剛性によりフラップ外縁に設けた弾性体の伸縮性が妨げられ、足繰り周りのフィット性を低下させてしまう。その結果生じる隙間などから、尿漏れを誘発する。
【０００４】
また、凹陥領域により吸液性パッドを保持するのみでは、吸液性パッドがずれやすく、吸液性パッドの保持に十分ではない。
【０００５】
本発明は、吸液性パッドを重ね合わせて使用する使い捨ておむつにおける上記の問題点に鑑み、足繰り周りの弾性体の伸縮性を妨げず、さらに吸液性パッドを安定かつ確実に保持する使い捨ておむつを提供することを目的とする。
【０００６】
【課題を解決するための手段】
上記の目的を達成するべく本発明は、従来例における吸液性コアを内包したフラップを排除すると共に、以下の構成を有する。
【０００８】
請求項１に係る使い捨ておむつは、液透過性の表面シートと、液不透過性の裏面シートと、これらのシートの間に介在する吸液性コアとを具備し、縦方向に前身頃部、後身頃部及びこれら両部間に位置する股下部からなる使い捨て吸収性物品において、股下部の股間部に形成された穴あき部の縁に対し少なくとも２枚以上の複合シートを取り付けてなる凹陥領域と、前記凹陥領域の周縁の内側近傍にて前記複合シート間に設けられ該周縁の形状に沿って該凹陥領域を囲周する凹陥領域弾性体とを有する。
【０００９】
請求項２は、請求項１の使い捨ておむつにおける凹陥領域弾性体の好適例であり、前記凹陥領域弾性体を左右別個の弾性体から形成してなる。
【００１０】
【作用】
本発明の使い捨ておむつの構成では、股下部の股間部に吸液性コアが介在しない凹陥領域を設けている。凹陥領域は、吸液性コアを介在させないため３層構造の部分に比べ薄く、窪み陥没した領域が形成される。別途用意した吸液性パッドを凹陥領域に嵌め込むことにより重ね合わせれば、股下部の嵩張りが解消される。
【００１１】
また、凹陥領域の周縁内側近傍に凹陥領域を囲周するように設けた凹陥領域弾性体により、凹陥領域の開口が絞られポケット状形態となる。このポケット状部分に吸液性パッドを嵌め込んだ状態で開口が絞られることにより吸液性パッドの周囲が固定され、凹陥領域内に安定的に保持される。
【００１２】
凹陥領域弾性体を左右別個の弾性体から形成する場合、使い捨ておむつの製造ラインにおいて凹陥領域弾性体の付着工程を連続的に実施するのに適している。
【００１３】
【発明の実施の形態】
以下、図面を参照し、本発明の実施の形態を説明する。
図１は、本発明による使い捨ておむつの展開斜視図である。使い捨ておむつ１の本体は、前身頃２及び後身頃３の両身頃部と、これら両身頃部の間に位置する股下部４から構成される。本体は、一部を除き全体的に３層構造を有し、肌当接面に位置する液透過性表面シート５と、肌非当接面に位置する反対側の液不透過性裏面シート６との間に尿を吸収する吸液性コア７を介在させている。表面シート５と裏面シート６とは、互いの縁部にてヒートシール、超音波シール、ホットメルト接着剤等により相互に接合されている。吸液性コア７は、親水性繊維と高吸液性ポリマーとを透水性のティッシュで包んだ構成を具備する。吸液性コア７の剛性は、ＪＩＳ・Ｐ８１２５のテーバースティフネステストに準拠する測定方法で５0〜８０0ｍＮ・cmであり、最適には１５0〜５０0ｍＮ・cm である。
【００１４】
前身頃２と後身頃３のそれぞれの長手方向端部には、幅方向に伸びる胴周り弾性体８が複数条設けられている。後身頃３には、装着時に固定するための複数のテープファスナー１６が適宜設けられる。また、股下部４の両足繰り部には、吸液性コア７の近傍に長手方向に延びる脚周り弾性体９がそれぞれ複数条設けられている。これらの胴周り弾性体８及び脚周り弾性体９は、いずれも吸液性コア７の介在しない表面シート５と裏面シート６との間に設けられ、伸長状態でホットメルト接着剤により接着されている。従って、収縮状態では両シートにギャザーが形成される。使い捨ておむつ１は、長手方向中央について左右対称に構成されている。
【００１５】
本発明では、股下部４の股間部において吸液性コア７のない略矩形の凹陥領域１０(破線で囲まれた部分)が設けられる。ここで「略矩形」とは、使い捨ておむつに重ね合わせる吸液性パッドの一般的形状にフィットする形状を意味するが、凹陥領域１０の形状を特定の形状に限定するものではない。従って、凹陥領域１０の周縁１０ａより内側の全域は、表面シート５と裏面シート６とからなる２層構造となる。これにより凹陥領域１０の厚さは、周縁１０ａの外側の３層構造部分に比べて吸収コア７の厚さ分だけ薄くなり、窪み陥没した領域を形成する。尚、凹陥領域の面積を２００cm２以上とすること、又は、凹陥領域の面積を吸収性コア７の全面積の１０％以上とすることが好適である。
【００１６】
さらに、凹陥領域１０の周縁１０ａ(破線で示す)の内側近傍には、周縁１０ａの形状に沿って凹陥領域１０を囲周して凹陥領域弾性体１１(点線で示す)が１又は複数条設けられる。凹陥領域弾性体１１は、表面シート５と裏面シート６との間に設けられ、伸長状態でホットメルト接着剤により接着されている。周縁１０ａと凹陥領域弾性体１１との間の間隔は、５〜５０mmの範囲内とすることが一般的である。この間隔は、全周に亘って一定である必要はない。凹陥領域弾性体１１の引張強力は７０〜７００ｇとすることが好適である。尚、弾性体の引張強力は、「弾性体単体の応力(製品内の伸長倍率)＊弾性体の本数」により算出し、試験方法はJIS  K6327  に準拠している。
【００１７】
図２は、図１のＡ−Ａ断面を示す図である。凹陥領域１０は、表面シート５と裏面シート６の２層からなっており、凹陥領域１０の周縁１０ａより内側近傍において両シート５、６の間に凹陥領域弾性体１１が設けられる。凹陥領域弾性体１１は、剛性である吸収コア７のない部分に設けられるため両シート５、６を十分に収縮させることができる。凹陥領域弾性体１１が収縮することにより、両シート５、６にギャザーが形成されて凹陥領域１０の開口を絞り込むことにより、凹陥領域１０があたかも平たいポケット状の形態となる。
【００１８】
そこで、別途用意された吸液性パッド(図示せず)を図１の使い捨ておむつ１に固定する際には、凹陥領域弾性体１１を伸ばして開口を拡げ、吸液性パッドをポケット状の凹陥領域１０内に挿入する。吸液性パッドが凹陥領域１０内に嵌め込まれると、凹陥領域弾性体１１が開口を絞ることにより、吸液性パッドの周囲が凹陥領域弾性体１１により固定され安定に保持される。
【００１９】
図３は、凹陥領域弾性体１１の取付例のバリエーションを示す図である。基本的には、図２（ａ）に示す如く、凹陥領域１０の周縁１０ａの内側近傍に、周縁１０ａの形状に沿って全周に亘って弾性体１１が設けられていればよい。また、図２（ｂ）に示す如く、弾性体１１は必ずしも連続的に設けられる必要はなく、例えば図示のように左右別個の弾性体から形成するものでもよい。このように連続的でない複数の弾性体から構成されていても、結果的に凹陥領域１０の周縁１０ａの内側近傍を囲周する効果を発揮できる形態であれば足りるので、互いを２点で交差させることにより閉じた状態であっても、離間させ実質的な囲周状態であってもよい。尚、左右の各弾性体は、それぞれ１又は複数条設けてもよい。
【００２０】
図４は、本発明による使い捨ておむつの別の実施形態を示す図である。図２と同様に、図１のＡ−Ａ断面に相当する図である。図２と対応する構成要素については同符号を用いて示す。本形態では、股下部４の股間部において吸液性コア７のみでなく表面シート５及び裏面シート６もない穴あき部を形成し、その穴あき部に別の液不透過性シート１３を取り付けることにより凹陥領域１０を構成する。液不透過性シート１３は、その周縁１０ａの近傍部分を穴あき部の縁(表面シート５と裏面シート６との接合部)へ接合することにより取り付けられる。液不透過性シート１３は、本例では２枚のシートからなる２層構造であるが、一般的には少なくとも２枚以上の複合シートとすることができる。さらに、液不透過性シート１３の周縁１０ａの内側近傍において、周縁１０ａの形状に沿って凹陥領域１０を囲周して２層の間に凹陥領域弾性体１１を設けている。凹陥領域弾性体１１は、伸長状態でホットメルト接着剤により接着される。この形態においても、凹陥領域弾性体１１が収縮することにより液不透過性シート１３にギャザーが形成され、凹陥領域１０の開口が絞られてポケット状形態となる。
【００２１】
尚、図４の実施形態において、液不透過性シート１３は、伸縮性シートとしてもよい。
【００２２】
【発明の効果】
以上の通り、本発明による使い捨ておむつは、股間部の凹陥領域に吸液性パッドを嵌め込むことにより重ね合わせるため、嵩張ることがない。
【００２３】
また、凹陥領域の周縁内側近傍に配置された凹陥領域弾性体により凹陥領域がポケット状形態を形成するため、その中に吸液性パッドを嵌め込めばこれを安定に保持し、ずれることがない。よって確実に排泄液を吸液性パッドに吸収させることができる。
【図面の簡単な説明】
【図１】本発明による使い捨ておむつの展開斜視図である。
【図２】図１のＡ−Ａ断面を示す図である。
【図３】本発明の使い捨ておむつにおける凹陥領域弾性体の取付例のバリエーションを示す図である。
【図４】本発明による使い捨ておむつの別の実施形態を示す図である。
【符号の説明】
１  使い捨ておむつ
２  前身頃
３  後身頃
４  股下部
５  液透過性表面シート
６  液不透過性裏面シート
７  吸液性コア
８  身頃部弾性体
９  股下部弾性体
１０  凹陥領域
１０ａ  凹陥領域周縁
１１  凹陥領域弾性体
１３  液不透過性シート
１５  立体バリアー部
１６  テープファスナー
【図１】
0003751242.tif 000002
【図２】
0003751242.tif 000003
【図３】
0003751242.tif 000004
【図４】
0003751242.tif 000005